(57)【要約】【課題】  テレビジョン放送を受信する機能を持つ場合において、携帯電話の蓋を開いてテレビ番組の映像を見ることが困難な状況や、電池の残量が少ない場合において、その番組の一部の映像だけでも知りたいユーザの要求を満たせるようにする。【解決手段】  ＣＰＵ１は、テレビ受像部によって受信された映像信号の画像をサブ表示部１４に表示する場合には、メイン表示部１３の画像に画面枠の画像を重畳して表示し、その画面枠でトリミングされた領域を限定してサブ表示部１４に表示する。【選択図】  図１
2005109617.tif 000002
【特許請求の範囲】
【請求項１】
電話通信網との間で無線通信を行う通信手段と、
テレビジョン放送を受信する放送受信手段と、
前記放送受信手段によって受信された映像信号による画像を表示する第１の表示手段又はこの第１の表示手段よりも表示画面が小さい第２の表示手段のいずれか一方を操作に応じて選択する表示選択手段と、
前記表示選択手段によって前記第２の表示手段が選択された場合には、前記放送受信手段によって受信された映像信号による画像の一部の領域を限定して前記第２の表示手段に表示する表示制御手段と、
を備えた通信端末装置。
【請求項２】
前記表示制御手段は、前記表示選択手段によって前記第２の表示手段が選択された場合には、前記第１の表示手段に表示されている画像に重畳して前記一部の領域を限定する画面枠の画像を表示し、前記画面枠の画像の表示位置を移動操作に応じて前記第１の表示手段の画面内において移動することを特徴とする請求項１記載の通信端末装置。
【請求項３】
前記表示制御手段は、拡大操作又は縮小操作に応じて、前記画面枠を前記第２の表示手段の表示画面に適応した形状で拡大又は縮小することを特徴とする請求項２記載の通信端末装置。
【請求項４】
通信網との間で無線通信を行うとともに、テレビジョン放送を受信可能な通信端末装置における信号処理のプログラムであって、
受信されたテレビジョン放送の映像信号による画像を表示する第１の表示手段又はこの第１の表示手段よりも表示画面が小さい第２の表示手段のいずれか一方を操作に応じて選択する第１のステップと、
前記第１のステップによって前記第２の表示手段が選択された場合には、受信されたテレビジョン放送の映像信号による画像の一部の領域を限定して前記第２の表示手段に表示する第２のステップと、
を実行することを特徴とする信号処理のプログラム。
【請求項５】
前記第２のステップは、前記第１のステップによって前記第２の表示手段が選択された場合には、前記第１の表示手段に表示されている画像に重畳して前記一部の領域を限定する画面枠の画像を表示し、前記画面枠の画像の表示位置を移動操作に応じて前記第１の表示手段の画面内において移動することを特徴とする請求項４記載の信号処理のプログラム。
【請求項６】
前記第２のステップは、拡大操作又は縮小操作に応じて、前記画面枠を前記第２の表示手段の表示画面に適応した形状で拡大又は縮小することを特徴とする請求項５記載の信号処理のプログラム。
【発明の詳細な説明】
【技術分野】
【０００１】
本発明は、通信端末装置およびその信号処理のプログラムに関し、特に、地上波ディジタル放送などのテレビジョン放送を受信可能な通信端末装置およびその信号処理のプログラムに関するものである。
【背景技術】
【０００２】
近年、携帯電話などの通信端末装置の機能に関するものとして、電話やメールの送受信の機能のほかに、地上波ディジタル放送などのテレビジョン放送を受信する機能やカメラ機能を新たに付加するという提案がいくつかなされている。
テレビジョン放送を受信する機能を付加するある提案の携帯型視聴装置は、地上波ディジタル放送を受信して符号化映像・音声データを取得するチューナと、符号化映像・音声データをメモリカード又は内蔵メモリに格納する手段と、メモリカード又は内蔵メモリから読み出した符号化映像・音声データおよびチューナから供給された符号化映像・音声データをデコードしてディスプレイ上に映像表示するとともに音声出力する手段と、電話機能部と、番組の視聴中に前記電話機能部で着信が生じたとき又はユーザが通話開始操作を行ったときに視聴中の番組の符号化映像・音声データを前記内蔵メモリに記録させる手段と、を備えた構成になっている。この構成により、電話による通話のために視聴中の番組で見られなかった部分が生じても、その部分については内蔵メモリへの録画処理が実行されていることになるので、後で視聴することが可能になる。（特許文献１参照）
【０００３】
また、テレビジョン放送を受信する機能を付加する他の提案の携帯電話機は、携帯電話網に対する送受信を行う送受信部と、地上波ディジタル放送を受信する地上波ディジタル放送受信部と、前記送受信部又は前記地上波ディジタル放送受信部からの動画像データをＭＰＥＧ−４規格により処理するＭＰＥＧ−４処理部と、前記ＭＰＥＧ−４処理部の処理結果に基づいて画像表示および音声出力を行う画像音声出力手段と、前記送受信部および前記地上波ディジタル放送受信部の受信内容に応じて前記ＭＰＥＧ−４処理部を制御する制御手段を備えた構成になっている。この構成により、送受信部と地上波ディジタル放送受信部のそれぞれにＭＰＥＧ−４処理部を設ける必要がないため、ＭＰＥＧ−４処理部の競合を生じることがなく、さらに部品増および重量増の低減によりコストアップを防止できるようになる。（特許文献２参照）
【特許文献１】特開２００３−１１１００４号公報
【特許文献２】特開２００３−１５３１１１号公報
【発明の開示】
【発明が解決しようとする課題】
【０００４】
携帯電話などの通信端末装置に地上波ディジタル放送などのテレビジョン放送を受信する機能や、デジタルカメラの機能を付加した場合には、職場や学校又は移動中にテレビ番組の映像を見ることが可能になる。その一方、職場や学校又は移動中の環境においては、携帯電話の蓋を開いてテレビ番組を見ることが困難な状況が多い。しかし、野球やサッカーなどのスポーツファンのユーザにとっては、優勝がかかったようなビッグゲームなどのテレビ番組については、困難な状況の中でも視聴したい欲求を抑えることができない場合もある。ゲームの内容をつぶさに見ることができなくても、せめてスコアだけでも時々は知りたいというユーザも少なくない。
【０００５】
また、このようなスポーツファンのユーザ以外にも、例えば、バラエティ番組などで自分の好きなタレントが出るところだけを見たいユーザにとっては、最初から最後までその番組を見る必要がないにもかかわらず、携帯電話の蓋を開いてその番組の映像を表示しなければならない。このため、見る必要のない映像の表示によって電池の電力が無駄に消費されてゆくことになり、電池の残量が充分でない場合には、本来の機能である電話やメールの送受信ができなくなるおそれがある。
【０００６】
しかしながら、上記特許文献１および特許文献２を含め、テレビジョン放送を受信する機能を持つ携帯電話においては、このようなユーザの要求を満たすことができなかった。
本発明は、上記従来の課題を解決するためのものであり、地上波ディジタル放送などのテレビジョン放送を受信する機能を持つ通信端末装置において、携帯電話の蓋を開いてテレビ番組の映像を見ることが困難な状況や、電池の残量が少ない場合において、その番組の一部の映像だけでも知りたいユーザの要求を満たせるようにすることを目的とする。
【課題を解決するための手段】
【０００７】
請求項１記載の通信端末装置は、電話通信網との間で無線通信を行う通信手段と、テレビジョン放送を受信する放送受信手段（実施形態においては、図１のチューナ５、ＯＦＤＭ復調部６、映像復号部７、音声復号部８からなるテレビ受像部に相当する）と、放送受信手段によって受信された映像信号による画像を表示する第１の表示手段（実施形態においては、図１のメイン表示部１３に相当する）又はこの第１の表示手段よりも表示画面が小さい第２の表示手段（実施形態においては、図１のサブ表示部１４に相当する）のいずれか一方を操作に応じて選択する表示選択手段（実施形態においては、図１のＣＰＵ１に相当する）と、表示選択手段によって第２の表示手段が選択された場合には、放送受信手段によって受信された映像信号による画像の一部の領域を限定して第２の表示手段に表示する表示制御手段（実施形態においては、図１のＣＰＵ１に相当する）と、を備えた構成になっている。
【０００８】
請求項１の通信端末装置において、請求項２に記載したように、表示制御手段は、表示選択手段によって第２の表示手段が選択された場合には、第１の表示手段に表示されている画像に重畳して一部の領域を限定する画面枠の画像を表示し、画面枠の画像の表示位置を移動操作（実施形態においては、図１のスイッチ部９のカーソルスイッチの操作に相当する）に応じて第１の表示手段の画面内において移動するような構成にしてもよい。
また、請求項１の通信端末装置において、請求項３に記載したように、表示制御手段は、拡大操作又は縮小操作（実施形態においては、図１のスイッチ部の対応するスイッチの操作に相当する）に応じて、画面枠を第２の表示手段の表示画面に適応した形状で拡大又は縮小するような構成にしてもよい。
【０００９】
請求項６に記載の信号処理のプログラムは、通信網との間で無線通信を行うとともに、テレビジョン放送を受信可能な通信端末装置における信号処理のプログラムであって、
受信されたテレビジョン放送の映像信号による画像を表示する第１の表示手段（実施形態においては、図１のメイン表示部１３に相当する）又はこの第１の表示手段よりも表示画面が小さい第２の表示手段（実施形態においては、図１のサブ表示部１４に相当する）のいずれか一方を操作に応じて選択する第１のステップと、第１のステップによって第２の表示手段が選択された場合には、受信されたテレビジョン放送の映像信号による画像の一部の領域を限定して第２の表示手段に表示する第２のステップと、を実行する構成になっている。なお、実施形態において、第１のステップおよび第２のステップは、図１のＣＰＵ１の処理に相当する。
【００１０】
請求項４のプログラムにおいて、請求項５に記載したように、第２のステップは、第１のステップによって第２の表示手段が選択された場合には、第１の表示手段に表示されている画像に重畳して一部の領域を限定する画面枠の画像を表示し、画面枠の画像の表示位置を移動操作（実施形態においては、図１のスイッチ部９のカーソルスイッチの操作に相当する）に応じて第１の表示手段の画面内において移動するような構成にしてもよい。
また、請求項４のプログラムにおいて、請求項６に記載したように、第２のステップは、拡大操作又は縮小操作（実施形態においては、図１のスイッチ部９の対応するスイッチの操作に相当する）に応じて、画面枠を第２の表示手段の表示画面に適応した形状で拡大又は縮小するような構成にしてもよい。
【発明の効果】
【００１１】
本発明の通信端末装置およびその信号処理のプログラムによれば、地上波ディジタル放送などのテレビジョン放送を受信する場合において、装置の蓋を開いてテレビ番組の映像を見ることが困難な状況や、電池の残量が少ない場合において、蓋を閉めた状態でテレビ番組の映像を表示することによって、その番組の一部の映像だけでも知りたいユーザの要求を満たせるという効果が得られる。
【発明を実施するための最良の形態】
【００１２】
以下、本発明による通信端末装置の実施形態について、携帯電話を例に採って図を参照して説明する。
図１は、実施形態における携帯電話の構成を示す概略のブロック図である。
図において、ＣＰＵ１は、ベースバンド信号処理のＤＳＰ（ディジタル・シグナル・プロセッサ）を内蔵したワンチップＩＣで構成されている。ＣＰＵ１のシステムバスには、ＲＯＭ２、ＲＡＭ３、ＲＦブロック４、チューナ５、ＯＦＤＭ復調部６、映像復号部７、音声復号部８、スイッチ部９、カメラ１０、メモリカードドライバ１１、および、図には示していないが、パソコンとの間でコマンドやデータを送受信するためのＵＳＢインターフェースが接続されている。なお、図１において、点線で囲まれているチューナ５、ＯＦＤＭ復調部６、映像復号部７、および音声復号部８は、地上波ディジタル放送の映像・音声信号を取り込むテレビ受像部を構成している。
【００１３】
ＣＰＵ１には、表示ドライバ１２を介してメイン表示部１３およびサブ表示部１４が接続されている。この携帯電話は、ＣＰＵ１などの電子部品やスイッチ部９を収容する本体と、メイン表示部１３、サブ表示部１４、カメラ１０などを収容する蓋部とが、ヒンジなどによって開閉可能な構造になっている。メイン表示部１３は蓋の裏側に配置され、蓋を開いた状態で表示された画像を見ることができる。一方、サブ表示部１４は、蓋の表側に配置されたメイン表示部１３よりも小さな画面の表示部であり、蓋を閉めた状態でも表示された画像を見ることができる。さらに、本体や蓋部には、マイク１３、スピーカ１６、イヤホン１７が設けられ、ドライバ（図示せず）を介してＣＰＵ１に接続されている。
【００１４】
ＲＯＭ２には、通信制御処理のプログラム、地上波ディジタル放送の受信処理や受信した映像信号を表示する表示処理および音声処理、受信した映像信号を録画する録画処理および再生処理などの信号処理のプログラム、イニシャライズにおけるデフォルト値などが格納されている。ＲＡＭ３は、ＣＰＵ１のワークエリアであり、ＣＰＵ１によって処理されるデータを一時的にストアするバッファエリア、各種のレジスタやフラグなどのエリア、メイン表示部１３に表示すべき画面の画像データをストアする表示１エリア、サブ表示部１４に表示すべき画面の画像データをストアする表示２エリアなどが設けられている。ＲＦブロック４は、電話通信網との間で電話やメールを送受信するための構成要素として、無線送受信部、無線信号処理部、音声信号処理部、加入者情報記憶部など（いずれも図示せず）を備えている。
【００１５】
チューナ５は、地上波ディジタル放送を受信して高周波増幅などの信号処理を行う。ＯＤＭＦ（直交周波数分割多重）復調部６は、チューナ５から得られるＯＦＤＭ変調された信号を復調する。ＯＦＤＭは、数百もの搬送波を用いた多搬送波変調方式であり、各搬送波が直交関係になっている。送信側すなわち放送局において、各搬送波に直並列変換した符号化データを割り当ててディジタル変調するので、通常のＦＤＭに比較して周波数利用効率が高くなる。ＯＤＭＦ復調部６は、このディジタル変調された信号を復調して、地上波ディジタル放送の映像および音声の符号化データを出力する。
【００１６】
映像復号部７は、ＯＤＭＦ復調部６から出力された映像の符号化データを復号してディジタル映像信号をＣＰＵ１に出力する。ＣＰＵ１は、表示ドライバ１２を介してそのディジタル映像信号をメイン表示部１３に出力してテレビ画像を表示する。また、音声復号部８は、ＯＤＭＦ復調部６から出力された音声の符号化データを復号してディジタル音声信号をＣＰＵ１に出力する。ＣＰＵ１は、そのディジタル音声信号をアナログ信号に変換してスピーカ１６又はイヤホン１７に出力してテレビ音声を発生する。また、ＣＰＵ１はＲＦブロック４が着信を検知したときは、スピーカ１６によって着信報知を行う。
【００１７】
スイッチ部９は、携帯電話のためのオフフックスイッチ、オンフックスイッチ、発信スイッチ、カーソルスイッチ、決定スイッチ、クリアスイッチ、数字スイッチなどのキースイッチ群で構成されており、その中のいくつかのスイッチが、テレビ用のテレビスイッチ、画面設定スイッチ、拡大スイッチおよび縮小スイッチなどと兼用されている。テレビ用の各スイッチの機能については後述する。マイク１３は、通話処理においてユーザの音声を電気信号に変換してＣＰＵ１に入力する。カメラ１０は、レンズ、ＣＣＤ、バッファ、カメラスイッチ、シャッタスイッチ（いずれも図示せず）などで構成され、カメラスイッチがオンされるとＣＣＤによってレンズからの画像を撮像し、シャッタスイッチがオンされると、撮像した画像データをバッファにストアする。メモリカードドライバ１１は、着脱自在なメモリカードに対して地上波ディジタル放送の映像信号を録画し、音声信号を録音するとともに、再生処理においては、録画された映像信号および音声信号を読み出す。
【００１８】
この携帯電話は、上記したように、ＣＰＵ１などの電子部品やスイッチ部９を収容する本体と、メイン表示部１３、サブ表示部１４、カメラ１０などを収容する蓋部とが開閉可能な構造であり、そのため折りたたみ機構・電源制御スイッチ１８（以下、総称して「折りたたみスイッチ」という）を具備している。本体に収容された電源ＩＣ１９は、充電池２０からの電圧に応じて、この携帯電話の各部に電圧を供給する。ＡＣアダプタ２１は、ＡＣ電源を所定電圧のＤＣ電源に変換して充電池２０を充電する。
【００１９】
なお、電源ＩＣ１９は、チューナ５、ＯＦＤＭ復調部６、映像復号部７、および音声復号部８からなるテレビ受像部、表示部１１、およびＣＰＵ１を含むその他の各部に対して、３系統の独立した電圧を供給し、スイッチ部９や折りたたみスイッチの操作およびＣＰＵ１の制御によって、テレビ受像部、メイン表示部１３およびサブ表示部１４に供給する電圧をそれぞれオン又はオフに設定することができる。オン又はオフに設定する処理については後述する。
【００２０】
次に、この携帯電話における電話およびメールの送受信の動作、並びに、地上波ディジタル放送から受信した映像信号の処理について、ＣＰＵ１によって実行されるフローチャートに基づいて説明する。図２ないし図５は、メインルーチンのフローチャートである。
携帯電話の電源スイッチがオンされたときは、所定のイニシャライズを行って（ステップＳＡ１）、ＲＡＭ３におけるサブ表示部１４用の表示２エリアに待受画面の画像データをストアして（ステップＳＡ２）、サブ表示部１４をオンにする（ステップＳＡ３）。また、ＲＡＭ３におけるメイン表示部１３用の表示１エリアに待受画面の画像データをストアして（ステップＳＡ４ａ）、メイン表示部１３をオンにする（ステップＳＡ４ｂ）。すなわち、電源スイッチがオンされた直後は、蓋が開かれて折りたたみスイッチが開になっているので、表示２エリアの待受画面の画像がサブ表示部１４に転送されて表示されるとともに、表示１エリアの待受画面の画像がメイン表示部１３に転送されて表示される。
【００２１】
次に、蓋が閉じられて折りたたみスイッチが開から閉になったか否かを判別し（ステップＳＡ５）、このスイッチが閉になった場合には、メイン表示部１３をオフにする（ステップＳＡ６）。したがって、メイン表示部１３には待受画面の画像は表示されない。次に、フラグＰＦが「１」であるか否かを判別する（ステップＳＡ７）。ＰＦは、地上波ディジタル放送の映像を見ている状態で「１」にセットされ、見ていない状態では「０」にリセットされるフラグである。したがって、折りたたみスイッチが閉で蓋部が閉じている状態でＰＦが「１」である場合には、表示２エリアにテレビ受像部からの映像の画像のうち限定された領域である枠内の画面をストアする（ステップＳＡ８）。限定された領域である枠については後述する。一方、ＰＦが「０」である場合には、表示２エリアに待受画面をストアする（ステップＳＡ９）。ステップＳＡ８又はステップＳＡ９の後は、ステップＳＡ５に移行して、折りたたみスイッチの開閉を判別する。
【００２２】
ステップＳＡ５において、折りたたみスイッチが開である場合には、図３のフローチャートに移行して、オフフックスイッチが操作されたか否かを判別し（ステップＳＡ１０）、このスイッチが操作されたときは、テレビ受像部をオフにし（ステップＳＡ１１）、ＰＦを「０」にリセットする（ステップＳＡ１２）。この後、電話番号入力画面をメイン表示部１３に表示する（ステップＳＡ１３）。そして、スイッチ部９の操作によって電話番号の入力がされたか否かを判別し（ステップＳＡ１４）、電話番号が入力されたときは電話網に対して発信する（ステップＳＡ１５）。また、スピーカ１６によって呼出報知を行う（ステップＳＡ１６）。この呼出報知の間に、発信に応答して被呼側との間に回線接続が確立したか否かを判別し（ステップＳＡ１７）、回線接続が確立したときは、通話処理に遷移して音声信号の送受信を行う（ステップＳＡ１８）。
【００２３】
通話処理においては、オンフックスイッチが操作されたか否かを判別し（ステップＳＡ１９）、このスイッチが操作されたときは、回線切断などの終話処理を行う（ステップＳＡ２０）。終話処理の後は、再び表示１エリアに待受画面の画像データをストアする（ステップＳＡ２１）。ステップＳＡ１４において電話番号の入力がない場合には、クリアスイッチがオンされたか否かを判別し（ステップＳＡ２２）、このスイッチがオンされたときは、ステップＳＡ２１に移行して、表示１エリアに待受画面の画像データをストアする。表示１エリアに待受画面の画像データをストアした後は、図２のステップＳＡ５に移行して折りたたみスイッチの開閉を判別する。
【００２４】
ステップＳＡ１０において、オフフックスイッチが操作されない場合には、図４のフローチャートにおいて、テレビスイッチがオン操作されたか否かを判別し（ステップＳＡ２３）、このスイッチがオンされたときは、テレビ受像部をオンにする（ステップＳＡ２４）。また、フラグＰＦを「１」にセットして（ステップＳＡ２５）、表示１エリアにテレビ受像部からの受信映像をストアする（ステップＳＡ２６）。そして、図２のステップＳＡ５に移行して折りたたみスイッチの開閉を判別する。
【００２５】
ステップＳＡ２３において、テレビスイッチがオン操作されない場合には、テレビスイッチがオフ操作されたか否かを判別し（ステップＳＡ２７）、このスイッチがオフ操作されたときは、テレビ受像部をオフにして（ステップＳＡ２８）、ＰＦを「０」にリセットする（ステップＳＡ２９）。次に、表示１エリアに待受画面をストアし（ステップＳＡ３０）、表示２エリアに待受画面をストアする（ステップＳＡ３１）。そして、図２のステップＳＡ５に移行して折りたたみスイッチの開閉を判別する。
【００２６】
ステップＳＡ２７において、テレビスイッチがオフ操作されない場合には、図５のフローチャートにおいて、ＰＦが「１」であるか否かを判別する（ステップＳＡ３２）。ＰＦが「１」である場合には、画面設定スイッチがオンされたか否かを判別し（ステップＳＡ３３）、このスイッチがオンされたときは、メイン表示部１３内の映像に画面枠の画像を重畳して表示する（ステップＳＡ３４）。画面枠の画像は、サブ表示部１４の表示画面とほぼ相似形になっている。すなわち、画面枠の縦横比は、サブ表示部１４の表示画面に適応するように、サブ表示部１４の表示画面の縦横比とほぼ同じになっている。
【００２７】
メイン表示部１３内の映像に画面枠の画像を表示した後は、カーソルスイッチがオンされたか否かを判別し（ステップＳＡ３５）、このスイッチがオンされたときは、メイン表示部１３の画面内において画面枠の画像の表示位置を移動する（ステップＳＡ３６）。一方、カーソルスイッチがオンでない場合には、拡大スイッチがオンされたか否かを判別し（ステップＳＡ３７）、このスイッチがオンされたときは画面枠を大きくする（ステップＳＡ３８）。拡大スイッチがオンでない場合には、縮小スイッチがオンされたか否かを判別し（ステップＳＡ３９）、このスイッチがオンされたときは画面枠を小さくする（ステップＳＡ４０）。カーソルスイッチ、拡大スイッチ、および縮小スイッチがいずれもオンでない場合には、決定スイッチがオンされたか否かを判別する（ステップＳＡ４１）。このスイッチがオンされたときは、画面枠の大きさおよび表示位置を変更する（ステップＳＡ４２）。
【００２８】
ステップＳＡ４１において、決定スイッチがオンでない場合には、クリアスイッチがオンされたか否かを判別し（ステップＳＡ４４）、このスイッチがオンでない場合には、ステップＳＡ３５においてカーソルスイッチのオンを判別するが、クリアスイッチがオンされたときは、メイン表示部１３の画面から画面枠の画像を消去する（ステップＳＡ４３）。この後は、図２のステップＳＡ５に移行して、折りたたみスイッチの開閉を判別する。ステップＳＡ３３において、画面設定スイッチがオンでない場合、すなわち、蓋部が開いた状態で、オフフックスイッチ、オンフックスイッチも操作されない状態において、テレビ受信部が動作状態の場合には、テレビ受像部からの映像を表示１エリアにストアし（ステップＳＡ４５）、テレビ受像部からの音声出力をスピーカ１６に出力する（ステップＳＡ４６）。この後は、図２のステップＳＡ５に移行して、折りたたみスイッチの開閉を判別する。ステップＳＡ３２において、ＰＦが「０」である場合には、着信検知などのその他の処理を行って（ステップＳＡ４７）、図２のステップＳＡ５に移行して、折りたたみスイッチの開閉を判別する。
【００２９】
図６は、着信検知処理のフローチャートである。ＲＦブロック４によって電話の着信を検知したときは、テレビ受像部をオフにし（ステップＳＢ１）、ＰＦを「０」にリセットする（ステップＳＢ２）。そして、表示２エリアに着信画面をストアする（ステップＳＢ３）。このとき、折りたたみスイッチが開であるか否かを判別し（ステップＳＢ４）、このスイッチが開でない場合には、スピーカ１６又はイヤホン１７およびサブ表示部１４によって着信報知を行う（ステップＳＢ５）。折りたたみスイッチが閉から開になったときは、表示１エリアに着信画面をストアして（ステップＳＢ６）、メイン表示部１３のオンにする（ステップＳＢ７）。そして、メイン表示部１３の画面によって着信報知をする（ステップＳＢ８）。
【００３０】
そして、オフフック操作がされたか否かを判別し（ステップＳＢ９）、オフフック操作がされたときは、着信報知を停止して（ステップＳＢ１０）、発呼側との回線接続を行って通話処理に遷移する（ステップＳＢ１１）。通話処理においては、オンフック操作がされたか否かを判別し（ステップＳＢ１２）、オンフック操作がされたときは、回線切断などの終話処理を行う（ステップＳＢ１３）。次に、表示１エリアおよび表示２エリアに待受画面を表示して（ステップＳＢ１４）、メインルーチンに戻る。
【００３１】
以上のように、この実施形態によれば、通信網との間で電話やメールの無線通信を行うとともに、地上波ディジタル放送を受信可能な機能を持つ携帯電話において、ＣＰＵ１は、テレビ受像部によって受信された映像信号の画像をサブ表示部１４に表示する場合には、メイン表示部１３の画像に画面枠の画像を重畳して表示し、その画面枠でトリミングされた領域を限定してサブ表示部１４に表示する。したがって、地上波ディジタル放送を受信する機能を持つ場合において、携帯電話の蓋を開いてテレビ番組の映像を見ることが困難な状況や、電池の残量が少ない場合において、携帯電話の蓋を閉めた状態で受信映像が見られるので、その番組の一部の映像だけでも知りたいユーザの要求を満たすことができる。
【００３２】
この場合において、ＣＰＵ１は、テレビ受像部によって受信された映像信号の画像をサブ表示部１４に表示する場合には、メイン表示部１３の画像に重畳して表示した画面枠の画像をスイッチ部９におけるカーソルスイッチの操作に応じて移動する。したがって、受信映像の中で任意の位置を指定してサブ表示部１４に表示することができる。例えば、プロ野球やサッカーその他のゲームにおいて、スコアは画面の下部の所定位置に表示されるので、ユーザは、その位置に画面枠の画像を合わせることによって、スコアだけでもサブ表示部１４で見ることができる。
【００３３】
また、ＣＰＵ１は、スイッチ部９による拡大操作又は縮小操作に応じて、画像をトリミングする画面枠を拡大又は縮小する。したがって、ユーザは、メイン表示部１３に表示されている映像の範囲を自在に指定してサブ表示部１４に表示させることができる。
【００３４】
なお、上記実施形態においては、ＲＯＭ２にあらかじめ記憶されている信号処理のプログラムをＣＰＵ１が実行する通信端末装置の発明について説明したが、着脱自在のメモリカードなどの外部記憶媒体から読み込まれた信号処理のプログラム、又は、ＲＦブロック４によってネットワークを介して外部のサーバーなどからダウンロードされた信号処理のプログラムを書き込み可能な不揮発性メモリなどで構成されたＲＯＭにインストールし、そのプログラムをＣＰＵ１が実行するような構成も可能である。この場合には、プログラムの発明を実現する。
【００３５】
すなわち、そのプログラムは、通信網との間で無線通信を行うとともに、テレビジョン放送を受信可能な通信端末装置における信号処理のプログラムであって、
受信されたテレビジョン放送の映像信号による画像を表示する第１の表示手段又はこの第１の表示手段よりも表示画面が小さい第２の表示手段のいずれか一方を操作に応じて選択する第１のステップと、第１のステップによって第２の表示手段が選択された場合には、受信されたテレビジョン放送の映像信号による画像の一部の領域を限定して第２の表示手段に表示する第２のステップと、を実行する。
【００３６】
この場合において、第２のステップは、第１のステップによって第２の表示手段が選択された場合には、第１の表示手段に表示されている画像に重畳して一部の領域を限定する画面枠の画像を表示し、画面枠の画像の表示位置を移動操作に応じて第１の表示手段の画面内において移動する。さらにこの場合において、第２のステップは、拡大操作又は縮小操作に応じて、画面枠を第２の表示手段の表示画面に適応した形状で拡大又は縮小する。
【図面の簡単な説明】
【００３７】
【図１】本発明の通信端末装置の実施例における携帯電話の構成を示すブロック図。
【図２】本発明の実施形態における携帯電話の動作を示すＣＰＵのメインルーチンのフローチャート。
【図３】図２に続くＣＰＵのメインルーチンのフローチャート。
【図４】図３に続くＣＰＵのメインルーチンのフローチャート。
【図５】図４に続くＣＰＵのメインルーチンのフローチャート。
【図６】ＣＰＵの着信検知のフローチャート。
【符号の説明】
【００３８】
１  ＣＰＵ
２  ＲＯＭ
３  ＲＡＭ
４  ＲＦブロック
５  チューナ
６  ＯＦＤＭ復調部
７  映像復号部
８  音声復号部
９  スイッチ部
１０  カメラ
１１  メモリカードドライバ
１２  表示ドライバ
１３  表示部
１４  サブ表示部
１５  マイク
１６  スピーカ
１７  イヤホン
１８  折りたたみ機構・電源制御スイッチ
１９  電源ＩＣ
２０  充電池
２１  ＡＣアダプタ
【図１】
2005109617.tif 000003
【図２】
2005109617.tif 000004
【図３】
2005109617.tif 000005
【図４】
2005109617.tif 000006
【図５】
2005109617.tif 000007
【図６】
2005109617.tif 000008